(57)【要約】【課題】強風によって外れ難く、取付け状態の確認を容易に行うことができ、かつ、交換作業が容易であると共に、交換された新しい瓦が充分な取付け強度を有するように敷設可能な瓦、及び、該瓦が屋根下地に敷設された瓦敷設構造を提供する。【解決手段】瓦敷設構造は、屋根下地４０と、屋根下地に略水平に設けられた複数の瓦桟木４６と、屋根下地に上段側の瓦１の下部が下段側の瓦１の上部と重畳するように敷設され、上段側の瓦とも下段側の瓦とも重畳しない単層部１３に貫通して設けられた孔部２１、孔部より上側かつ直近で瓦裏面から突設された引掛突部２３、及び、引掛突部より上側で瓦裏面に形成された当接部２５を有する複数の瓦１とを具備し、瓦桟木に引掛突部が引掛けられると共に、孔部の瓦裏面の開口部が瓦桟木の上面に対面し、孔部に挿通した係止部材３０によって瓦が瓦桟木に取付けられており、当接部が屋根下地の表面に当接している。【選択図】図２
2008057172.tif 000002
【特許請求の範囲】
【請求項１】
勾配を有する屋根の屋根下地に、上段側の瓦の下部が下段側の瓦の上部と重畳するように敷設される瓦であって、
上段側の瓦とも下段側の瓦とも重畳しない単層部に貫通して設けられた孔部と、
該孔部より上側かつ直近で瓦裏面から突設され、前記屋根下地に略水平に設けられた瓦桟木に引掛けられると共に、前記孔部の前記瓦裏面の開口部を前記瓦桟木の上面に対面させる引掛突部と、
該引掛突部より上側で前記瓦裏面に形成され、前記引掛突部が前記瓦桟木に引掛けられた状態で前記屋根下地の表面に当接させられる当接部と
を具備することを特徴とする瓦。
【請求項２】
前記孔部は、上段側の瓦と重畳する上重畳部の下端の直近に設けられることを特徴とする請求項１に記載の瓦。
【請求項３】
前記孔部は、瓦表面の開口部の周縁に、瓦表面より高く突設された周縁部を具備することを特徴とする請求項１または請求項２に記載の瓦。
【請求項４】
勾配を有する屋根の屋根下地と、
該屋根下地に略水平に設けられた複数の瓦桟木と、
前記屋根下地に上段側の瓦の下部が下段側の瓦の上部と重畳するように敷設され、上段側の瓦とも下段側の瓦とも重畳しない単層部に貫通して設けられた孔部、該孔部より上側かつ直近で瓦裏面から突設された引掛突部、及び、該引掛突部より上側で瓦裏面に形成された当接部を有する複数の瓦とを具備し、
前記瓦桟木に前記引掛突部が引掛けられると共に、前記孔部の前記瓦裏面の開口部が前記瓦桟木の上面に対面し、前記孔部に挿通した係止部材によって前記瓦が前記瓦桟木に対して取付けられており、前記当接部が前記屋根下地の表面に当接していることを特徴とする瓦敷設構造。
【発明の詳細な説明】
【技術分野】
【０００１】
本発明は、瓦及び瓦敷設構造に関するものであり、特に、引掛け桟工法で敷設される瓦、及び、該瓦が敷設された瓦敷設構造に関するものである。
【背景技術】
【０００２】
屋根瓦の敷設工法として、長尺の瓦桟木の複数を野地板に対して取付け、瓦の裏面に設けられている突起を瓦桟木に引掛けて係止させる「引掛け桟工法」が行われている。
【０００３】
この「引掛け桟工法」で、従来より用いられている瓦及びその瓦敷設構造を、図３を用いて説明する。従来の瓦５０は、一方の側端が隣接する瓦と順次重ねられると共に、上段に葺かれる瓦５０の下部５７は、下段に葺かれた瓦の上部５６に重畳するように敷設される。この瓦５０には、瓦桟木６５に引掛けるための突起５５が、瓦５０の裏面の上端辺５１に沿って設けられており、突起５５の近傍に設けられた貫通孔５３に挿通したねじ釘等の係止部材６９を瓦桟木６５に留付けることによって、瓦５０が屋根下地６０に固定される。その際、貫通孔５３及び係止部材６９を介した瓦５０の取付け部分は、下段側の瓦５０が上段側の瓦５０によって覆われる部分に位置している。
【０００４】
上記の従来技術は、公然に実施されているものであり、出願人は、この従来技術が記載された文献を、本願出願時においては知見していない。
【発明の開示】
【発明が解決しようとする課題】
【０００５】
しかしながら、上記のように敷設された瓦は、強風によって生じた負圧によって瓦を浮き上がらせるような力が働いたとき、瓦の一方の端部が屋根下地に固定されているため、一端の固定点を軸として回転するように瓦が持ち上がり易く、てこの原理により、小さな力でも、ねじ釘等の係止部材に大きな力が作用するものであった。そのため、係止部材がゆるんで瓦ががたついたり、係止部材が抜けて瓦が屋根下地から外れたりし易いという問題があった。
【０００６】
また、従来の瓦では、貫通孔及び係止部材を介して瓦桟木への取付けが行われた部分は、上段側の瓦によって被覆されるため、いったん瓦が敷設された後は、係止部材による瓦の取付け作業が正しく行われているか否かを、確認することはできなかった。
【０００７】
加えて、従来の瓦では、一部の瓦が破損した際など瓦を交換したい場合に、上段側の瓦によって被覆された部分に設けられている孔部から係止部材を抜き取ることは困難であった。そのため、取り外す瓦は破砕して除去し、係止部材は屋根下地の表面から露呈した部分で切断しなくてはならず、作業が煩雑であった。
【０００８】
また、新しい瓦を取付けるために、隣接する瓦を外そうとすると、結局は全ての瓦を外さなくてはならないため、新しい瓦は、瓦桟木に引掛ける突起を削り取った上で上段側の瓦の下方に挿入され、瓦桟木や隣接する瓦に対して接着剤で接着することによって屋根下地に固定されていた。そのため、作業に手間がかかると共に、接着剤で接着されただけの新しい瓦は、取付け強度が不十分であるという問題があった。
【０００９】
そこで、本発明は、上記の実情に鑑み、強風によって外れ難く、取付け状態の確認を容易に行うことができ、かつ、交換作業が容易であると共に、交換された新しい瓦が充分な取付け強度を有するように敷設可能な瓦、及び、該瓦が屋根下地に敷設された瓦敷設構造の提供を課題とするものである。
【課題を解決するための手段】
【００１０】
上記の課題を解決するため、本発明にかかる瓦は、「勾配を有する屋根の屋根下地に、上段側の瓦の下部が下段側の瓦の上部と重畳するように敷設される瓦であって、上段側の瓦とも下段側の瓦とも重畳しない単層部に貫通して設けられた孔部と、該孔部より上側かつ直近で瓦裏面から突設され、前記屋根下地に略水平に設けられた瓦桟木に引掛けられると共に、前記孔部の前記瓦裏面の開口部を前記瓦桟木の上面に対面させる引掛突部と、該引掛突部より上側で前記瓦裏面に形成され、前記引掛突部が前記瓦桟木に引掛けられた状態で前記屋根下地の表面に当接させられる当接部とを」具備している。
【００１１】
上記の特許請求の範囲及び以下の明細書における「上」及び「下」は、勾配を有する屋根に敷設されている状態の瓦における上下の関係によるものである。
【００１２】
本発明の「瓦」の形状は特に限定されず、平型や波型等の瓦を用いることができる。
【００１３】
「勾配を有する屋根」とは、水平面に対して傾斜した屋根面を有する屋根であり、切妻屋根、寄棟屋根、入母屋屋根、片流れ屋根等を例示することができる。また、「屋根下地」とは、屋根の構成を、瓦等の屋根仕上げ材で覆われる屋根仕上げ部分、屋根仕上げ材を載せるための下地部分、屋根全体を支える骨組部分に大別した場合の下地部分であり、一般的には、垂木の上に張り渡した野地板に、防水シートなどの下葺き材が敷かれた構成とされることが多い。更に、「瓦桟木」とは、引掛け桟工法で瓦葺きを行う際に、瓦を引掛けるために屋根下地に取付けられる部材であり、一般的には、長尺の角柱状の木材で構成され、下葺き材を介して野地板に釘等で打ち付けられる。
【００１４】
「引掛突部」が突設される「該孔部より上側かつ直近」とは、引掛突部を瓦桟木に引掛けた際に、孔部の瓦裏面の開口部を、「瓦桟木の上面に対面させる」ことができる位置である。かかる位置に孔部を設けることにより、孔部に挿通したねじ釘等の係止部材を瓦桟木に留付け、係止部材及び瓦桟木を介して瓦を屋根下地に固定することができる。
【００１５】
ここで、孔部と引掛突部との距離は、瓦桟木の幅を考慮して設定することができる。例えば、孔部を瓦桟木の幅のほぼ中心に位置させる設定とする場合、瓦桟木の幅の約１／２だけ孔部の中心より上側に、引掛突部の下端が位置するように、引掛突部を突設させる。なお、本発明の「孔部」は「単層部」に設けられるが、「引掛突部」は「単層部」に設けられるものであっても、上段に敷設される瓦と重畳する部分に設けられるものであっても良い。また、「引掛突部」は、瓦が屋根下地に敷設された際の水平方向（以下、瓦の「幅方向」という）の全幅に亘って設けられるものであっても、瓦裏面から部分的に突設されるものであっても良い。
【００１６】
「当接部」は、引掛突部が瓦桟木に引掛けられた状態で屋根下地の表面に当接させられる構成であれば良く、例えば、瓦裏面から突設された構成とすることができる。或いは、瓦を引掛突部の付け根部分から連続的に厚みが増すように形成し、厚みの増した部分の瓦裏面で当接部を構成させることもできる。また、「当接部」は、「引掛突部より上側」に形成されるが、孔部及び引掛突部からなるべく離れた位置に設けることが望ましく、例えば、上端辺に沿って瓦裏面から突設された構成とすることができる。その場合、瓦の幅方向の全幅に亘って突設されるものであっても、部分的に突設されるものであっても良い。
【００１７】
従って、本発明によれば、上段側の瓦と重畳しない単層部に孔部が設けられるため、従来の瓦より、瓦の重心に近い位置で屋根下地に固定される。これにより、強風によって生じた負圧により瓦を浮き上がらせるような力が働いたときに、瓦を固定している係止部材にかかる負荷の大きさは、てこの原理により、一方の端部で屋根下地に固定されていた従来の瓦に比べて小さなものとなる。そのため、係止部材がゆるんで瓦ががたついたり、係止部材が抜けて瓦が屋根下地から外れたりする恐れを、低減することが可能となる。
【００１８】
また、孔部を瓦の重心に近い位置に設けても、仮に、孔部に挿通したねじ釘等の係止部材が屋根下地に直接留付けられる場合は、係止部材によって瓦が過剰に押下げられて瓦が破損する恐れがある。これに対し、本発明では、引掛突部が孔部の直近に設けられ、引掛突部を瓦桟木に引き掛けると、孔部の開口部が瓦桟木の上面と対面する構成であるため、瓦桟木に支持されている部分で瓦を留付けることができる。これにより、瓦に無理な力が加えられ難いものとなり、屋根下地への取付けに際して瓦が破損する恐れを低減することができる。
【００１９】
加えて、本発明では、引掛突部より上側に当接部を具備するため、当接部が屋根下地の表面に当接するように瓦を敷設しておくことにより、強風によって瓦が瓦桟木と引掛突部との接線を軸として回転させられそうになっても、当接部によってその回転が阻止される。これにより、瓦の浮き上がりや剥離をより効果的に防止することが可能となる。なお、当接部は、孔部及び引掛突部が設けられる位置よりなるべく離れた位置に設けることにより、瓦のわずかな浮き上がりによる回転も効果的に阻止することができ、好適である。
【００２０】
また、上段側の瓦と重畳しない単層部に孔部が設けられ、上段側の瓦によって被覆されていないため、瓦の敷設後であっても係止部材を視認することができる。そのため、係止部材の所定の留付け作業が正しく行われているか否かを、容易に確認することができる。
【００２１】
更に、本発明の瓦は、孔部が上段側の瓦と重畳しない単層部に設けられているため、瓦の敷設後であっても、孔部に挿通させたねじ釘等の係止部材を容易に外したり、ゆるめたりすることができる。これにより、瓦が破損した場合等に瓦を容易に屋根下地から取外すことができると共に、隣接する数枚の瓦の係止部材をゆるめることにより、新しく交換する瓦を容易に取付けることが可能となる。そして、新しい瓦は、当初敷設された瓦と同様に、引掛突部を瓦桟木に引掛け、孔部に挿通した係止部材を瓦桟木に留付け、当接部が屋根下地の表面に当接するように敷設することができるため、当初に敷設された瓦に比べて新しい瓦の取付け強度が低下するという、従来の問題を解消することが可能となる。
【００２２】
また、本発明にかかる瓦は、「前記孔部は、上段側の瓦と重畳する上重畳部の下端の直近に設けられる」ものとすることができる。
【００２３】
「上重畳部」は、瓦が屋根下地に敷設された際に、上段側の瓦と重畳することとなる部分である。また、孔部が設けられる「上段側の瓦と重畳する上重畳部の下端の直近」は、孔部に挿通した係止部材を瓦桟木に対して留付けたり、抜き取ったりする作業の際に、上段側に敷設された瓦と作業者の手や道具が干渉しない程度に、なるべく上段側の瓦に近い位置であり、例えば、上重畳部の下端から１０〜２０ｍｍとすることができる。
【００２４】
ところで、強風によって瓦を上方に持ち上げようとする力や、その力によってねじ釘等の係止部材に作用する力を考慮すれば、引掛突部と瓦桟木とが当接する部分は、なるべく瓦の重心に近く設けられることが望ましい。しかしながら、孔部は、上段側の瓦によって被覆されない単層部の瓦表面に露呈するため、瓦のほぼ中央である重心近くに孔部が存在すると、目につき易くなる可能性がある。そのため、屋根の意匠性を重視する場合は、なるべく孔部は目立たないように設けられることが望ましい。
【００２５】
本発明によれば、瓦が屋根下地に敷設された際、上段側に敷設される瓦の下端辺の直ぐ近くに、孔部が位置することとなる。一般的に、屋根を見上げる人から見て、瓦の輪郭線は瓦の下端辺である。そのため、屋根を見上げる人の視線は瓦の下端辺に集中し、孔部が目立ち難いものとなる。また、瓦の下端辺の直ぐ近くに孔部が位置することにより、下方から屋根を見上げた場合に瓦の輪郭線が孔部と重なって見え、孔部の存在に気付き難いものとなる。これにより、強風が瓦を持ち上げようとする力や係止部材にかかる負荷を従来の瓦より抑制しつつ、屋根の意匠性を損なう恐れの少ない瓦とすることができる。
【００２６】
更に、本発明にかかる瓦は、上記構成に加え、「前記孔部は、瓦表面の開口部の周縁に、瓦表面より高く突設された周縁部を」具備するものとすることができる。
【００２７】
本発明によれば、敷設された瓦では、上段側の瓦によって覆われない位置に孔部が露呈することとなるが、孔部の周縁に沿って瓦表面より高く突設された周縁部が設けられることにより、孔部に雨水が流入し難くなり、孔部を介して瓦の下面へ雨水が流下することを抑制することができる。これにより、雨漏りや野地板等の傷みを防止することができる。
【００２８】
次に、本発明にかかる瓦敷設構造は、「勾配を有する屋根の屋根下地と、該屋根下地に略水平に設けられた複数の瓦桟木と、前記屋根下地に上段側の瓦の下部が下段側の瓦の上部と重畳するように敷設され、上段側の瓦とも下段側の瓦とも重畳しない単層部に貫通して設けられた孔部、該孔部より上側かつ直近で瓦裏面から突設された引掛突部、及び、該引掛突部より上側で瓦裏面に形成された当接部を有する複数の瓦とを具備し、前記瓦桟木に前記引掛突部が引掛けられると共に、前記孔部の前記瓦裏面の開口部が前記瓦桟木の上面に対面し、前記孔部に挿通した係止部材によって前記瓦が前記瓦桟木に対して取付けられており、前記当接部が前記屋根下地の表面に当接している」ものである。
【００２９】
「係止部材」は、孔部に挿通して瓦桟木に留付けることにより、瓦を屋根下地に固定するための部材であり、ねじ釘、ビス、ボルト等を例示することができる。また、孔部の防水性を高めるために、樹脂製のシーリング部材が取付けられているものであっても良い。
【００３０】
従って、本発明によれば、上記に述べた構成及びその作用により、強風によって瓦が浮き上がったり、係止部材が抜けて瓦が外れたりし難く、強風に抗し得る取付け強度の大きな瓦敷設構造となる。また、重畳する瓦によって孔部が覆われない瓦敷設構造であるため、係止部材の所定の留付け作業が正しく行われているか否かを、容易に確認することができる。加えて、瓦が破損した際等の瓦の交換が容易であり、新しい瓦も当初に敷設される瓦と同様な取付け構造で屋根下地に取付けることができるため、交換された新しい瓦も含めて、取付け強度の大きな瓦敷設構造とすることができる。
【発明の効果】
【００３１】
以上のように、本発明の効果として、強風によって外れ難く、取付け状態の確認を容易に行うことができ、かつ、交換作業が容易であると共に、交換された新しい瓦が充分な取付け強度を有するように敷設可能な瓦、及び、該瓦が屋根下地に敷設された瓦敷設構造を提供することができる。
【発明を実施するための最良の形態】
【００３２】
以下、本発明の最良の一実施形態である瓦、及び、該瓦が屋根下地に敷設された瓦敷設構造について、図１及び図２に基づいて説明する。ここで、図１は本実施形態の瓦の構成を示す（ａ）平面図及び（ｂ）側面図であり、図２は図１の瓦が屋根下地に敷設された瓦敷設構造を示す説明図である。
【００３３】
本実施形態の瓦敷設構造は、図２に示すように、勾配を有する屋根の屋根下地４０と、屋根下地に略水平に設けられた複数の瓦桟木４６と、上段側の瓦の下部が下段側の瓦の上部と重畳するように屋根下地４０に敷設される複数の瓦１とを具備している。より詳細に説明すると、屋根下地４０は、野地板４１と、野地板４１の上に敷設された防水性を有する下葺き材４２とを備えており、長尺の角柱状の木材で構成された瓦桟木４６の複数が、下葺き材４２を介して野地板４１に固定されると共に、略平行かつ略水平に屋根下地４０に取付けられている。なお、本実施形態の瓦桟木４６は、幅約３０ｍｍ高さ約１５ｍｍの一般的な寸法のものを用いている。
【００３４】
また、本実施形態の瓦１は、図１及び図２に示すように、屋根下地４０に敷設された際に上段側に敷設される瓦１と重畳する上重畳部１１と、下段側に敷設される瓦１と重畳する下重畳部１２と、その間で上段側の瓦１とも下段側の瓦１とも重畳しない単層部１３と、単層部１３において貫通して設けられた孔部２１と、孔部２１より上側かつ直近で瓦裏面から突設された引掛突部２３と、引掛突部２３より上側で瓦裏面に形成された当接部２５とを具備している。
【００３５】
より詳細に説明すると、瓦１は、一辺が約３５０ｍｍの平面視略正方形で、厚さが約２７ｍｍの平板状の平型瓦である。そして、上端辺１１ａから下端辺１２ａまでの長さの１／４〜１／５の長さで、上端辺１１ａに沿うように、上段側に敷設される瓦１と重畳する上重畳部１１が構成されている。また、同じく上端辺１１ａから下端辺１２ａまでの１／４〜１／５程度の長さで、下端辺１２ａに沿うように、下段側に敷設される瓦１と重畳する下重畳部１２が構成されている。そして、上重畳部１１と下重畳部１２の間の部分が、上段側の瓦１とも下段側の瓦１とも重畳しない単層部１３である。なお、本実施形態の瓦１は、図１（ｂ）に示されるように、下端辺１２ａに沿って瓦表面側から瓦裏面側に向かって湾曲して突出した形状となっており、上重畳部１１は、このように突出した下重畳部１２に対応させて、凹状に形成されている。
【００３６】
孔部２１は、上重畳部１１と単層部１３との境界１５の直近の単層部１３において、瓦１の幅方向のほぼ中央に、一つ設けられている。ここで、本実施形態での上重畳部１１と単層部１３との境界１５の「直近」は、境界１５より約１５ｍｍの位置に設定されている。また、本実施形態の孔部２１は、瓦表面より高く突設された周縁部２１ａを備え、孔部２１及び周縁部２１ａとで略円筒形状を構成している。
【００３７】
引掛突部２３は、瓦１の幅方向の全幅に亘る略直方体形状に形成され、上端辺１１ａ及び下端辺１２ａと略平行に設けられている。ここで、本実施形態で引掛突部２３が設けられる「孔部２１の直近」は、瓦桟木４６の幅約３０ｍｍの略１／２の長さ、すなわち約１５ｍｍ分だけ、孔部２１の中心から上端辺１１ａ側に寄った位置に設定されている。また、当接部２５は、瓦１の幅方向の全幅に亘る略直方体形状に形成され、瓦裏面において上端辺１１ａに沿って突設されている。なお、本実施形態の引掛突部２３及び当接部２５が瓦裏面から突出する高さは、共に約１０ｍｍに設定されている。
【００３８】
なお、本実施形態の瓦１には、上端辺１１ａ及び下端辺１２ａと直交する一対の側辺の一方に沿って、隣接する瓦の下方に挿し込まれる挿込部１８が設けられている。
【００３９】
次に、瓦１の屋根下地４０への敷設方法、及び、瓦１が屋根下地４０に敷設された瓦敷設構造について、主に図２を用いて説明する。
【００４０】
瓦１を屋根下地４０に敷設する際は、まず、引掛突部２３を瓦桟木４６に引掛ける。このとき、上記のように、引掛突部２３は孔部２１の直近に設けられているため、孔部２１の瓦裏面の開口部は瓦桟木４６の上面に対面する。また、本実施形態では、孔部２１の中心と引掛突部２３との距離は、瓦桟木４６の幅の略１／２に設定されているので、孔部２１の瓦裏面の開口部は、瓦桟木４６の幅のほぼ中央に位置する。
【００４１】
この孔部２１に係止部材３０を挿通し、これを瓦桟木４６に留付けることによって、瓦１を屋根下地４０に固定する。このとき、当接部２５が屋根下地４０の表面に当接する状態となるように、係止部材３０の瓦桟木４６への留付けを行う。なお、本実施形態では、係止部材３０として樹脂パッキン付きステンレス製ねじ釘を使用し、防水性を高めているが、係止部材３０にコーキング剤を塗布した上で瓦桟木４６に留付け、或いは係止部材３０を瓦桟木４６に留付けた後に孔部２１にコーキング剤を充填することによっても、防水性を高めることができる。
【００４２】
そして、挿込部１８が隣接する瓦１の側端に挿し込まれるように、複数の瓦１を同一の瓦桟木４６に対して順次取付けて行くことにより、一段の瓦葺きが行われる。このとき、瓦１を一枚ずつ留付けて行っても、ある程度の枚数を仮置きして位置調整をした後に、係止部材３０による留付けまとめて行っても良い。その後、更に一つ上の段において、既に敷設された瓦１の上重畳部１１を下重畳部１２で被覆するように、上記と同様に、瓦１を瓦桟木４６に対して取付けることにより、図２に示すような瓦敷設構造が形成される。
【００４３】
上記のような瓦１及び瓦敷設構造によれば、強風により発生する負圧によって瓦１を上方に持ち上げるような力が働いても、従来の瓦に比べ瓦１の重心に近い位置で屋根下地４０に固定されているため、瓦１を固定している係止部材３０にかかる負荷の大きさは、てこの原理により、一方の端部で屋根下地に固定されていた従来の瓦より小さなものとなる。これにより、係止部材３０がゆるんで瓦１ががたついたり、係止部材３０が抜けて瓦１が屋根下地４０から外れたりする恐れを、低減することが可能となる。
【００４４】
また、引掛突部２３が孔部２１の直近に設けられ、引掛突部２３を瓦桟木４６に引き掛けると、孔部２１の開口部が瓦桟木４６の上面に対面する構成であるため、瓦桟木４６に支持されている部分で、瓦１を留付けることができる。これにより、係止部材３０の留付けの際に瓦１に無理な力が加えられ難いものとなり、屋根下地４０への取付けに際して瓦１が破損する恐れを低減することができる。特に、本実施形態では、孔部２１が瓦桟木４６の幅方向におけるほぼ中央に位置するように、孔部２１と引掛突部２３との位置関係が設定されているため、係止部材３０の留付け作業がし易いものとなっている。
【００４５】
加えて、強風によって瓦１が瓦桟木４６と引掛突部２３との接線を軸として回転させられそうになっても、当接部２５が屋根下地４０の表面に当接しているため、瓦１の回転が阻止され、瓦１の浮き上がりや剥離が防止される。特に、本実施形態の当接部２５は、瓦裏面において上端辺１１ａに沿って突設され、孔部２１及び引掛突部２３から最も離れた位置に設けられているため、瓦１のわずかな浮き上がりによる回転も効果的に阻止することができる。
【００４６】
ここで、本実施形態の瓦１及び瓦敷設構造について、強風に対する耐性を調べるために引き上げ試験を行った結果を示す。試験では、木製の架台に瓦を横五列縦五列敷設し、測定対象の瓦と、測定対象の瓦と同一段でそれぞれ両側から接する二枚の瓦と、測定対象の瓦の上段または下段の瓦で、それぞれ測定対象の瓦に接する上段二枚、下段二枚の瓦にアイナットを取付けて均一の力で引き上げ、その内の一枚が２０ｍｍ浮上するまでに測定対象の瓦に負荷された最大荷重を測定した。
【００４７】
その結果、本実施形態の瓦１では、測定対象の瓦１枚当たり、負荷された最大荷重は約３００Ｎであった。一方、耐風性や耐震性を高めるために、隣接する瓦を噛み合わせて固定する特殊な構造、いわゆる「合体構造」を備えた従来の瓦を用いて同様の試験を行ったところ、測定対象の瓦一枚当たりに負荷された最大荷重は約３０８Ｎであった。以上の結果より、本実施形態の瓦１は、複雑な合体構造を有さない簡易な構成であるため瓦自体の製造が容易であり、しかも、隣接する瓦を合体させるような作業を要さず簡易に敷設できるにも関わらず、耐風性や耐震性を高めるための特殊な合体構造を備えた従来の瓦及びその敷設構造に匹敵する、高い取付け強度を有することが示された。
【００４８】
更に、本実施形態の瓦１及び瓦敷設構造によれば、上段側の瓦１によって被覆されない単層部１３において、孔部２１及び係止部材３０を介した瓦桟木４６に対する瓦１の取付けが行われているため、瓦１の敷設後であっても係止部材３０を視認でき、係止部材３０の所定の留付け作業が正しく行われているか否かを容易に確認することができる。
【００４９】
加えて、孔部２１を介した係止部材３０の留付け部分が上段側の瓦１によって被覆されていないため、瓦１の敷設後であっても、係止部材３０を抜き取って容易に瓦１を取外すことができる。また、隣接する数枚の瓦１の係止部材３０をゆるめることにより、新しい瓦１を容易に取付けることができる。その際、新しい瓦１は、当初敷設された瓦と同様に、引掛突部２３を瓦桟木４６に引掛け、孔部２１に挿通した係止部材３０を瓦桟木４６に留付け、当接部２５が屋根下地４０の表面に当接するように敷設することができるため、瓦の敷設後に交換した瓦の取付け強度が、当初に敷設された瓦に比べて低下するという、従来の問題を解消することができる。
【００５０】
また、上段に敷設された瓦１の下端辺１２ａの直近に孔部２１が位置するように設けられているため、孔部２１が目立たち難く、上段側の瓦によって被覆されない単層部１３に孔部２１を設けても、屋根の意匠性を損なう恐れの少ないものとなっている。
【００５１】
更に、係止部材３０が防水性を有する樹脂パッキン付きであることに加え、孔部２１の周縁部２１ａは瓦１の瓦表面より高く突設されているため、孔部２１を介しての瓦１の下方への雨水の流入を防止することができる。なお、本実施形態の瓦１は平型瓦であるが、波型瓦の場合は、波の頂上に相当する高い部分に孔部を設けることにより、より効果的に雨水の流入を防止することができる。なお、上記の実施形態では具体的な寸法を例示して説明したが、もちろん例示した寸法に限定されるものではない。
【００５２】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００５３】
例えば、本発明は、屋根の隅棟、谷、或いは袖の部分に配されることにより、敷設される際に部分的に切断される瓦及びその瓦敷設構造にも適用することができる。
【００５４】
また、上記の実施形態では、当接部２５を上端辺１１ａに沿って瓦１の全幅に亘って設ける場合を例示したが、全幅に亘らず部分的に突出させることにより屋根下地の表面に当接する構成であっても良い。また、屋根下地の表面と面的に広く当接するよう、当接部の当接面を屋根下地の傾斜に合わせて傾斜させても良い。或いは、引掛突部の付け根部分から上端辺に向って徐々に厚みが増すように瓦を形成することにより、厚みが増した部分で当接部を構成させることもできる。
【００５５】
加えて、本発明の瓦敷設構造は、屋根面の全てに同一の構成の瓦を敷設する場合に限定されない。例えば、屋根面の一部に、太陽電池モジュール等の取付けが可能な構成を有する屋根部材を敷設した瓦敷設構造とすることができる。この際、本実施形態の瓦及び瓦敷設構造では、上述のように、瓦の交換が容易であるため、既に敷設された瓦の一部を取外して、上記のような特殊な屋根部材に付け替えることも、問題なく容易に行うことができる。
【図面の簡単な説明】
【００５６】
【図１】本実施形態の瓦の構成を示す（ａ）平面図及び（ｂ）側面図である。
【図２】図１の瓦が屋根下地に敷設された瓦敷設構造を示す説明図である。
【図３】従来の瓦及び瓦敷設構造を示す説明図である。
【符号の説明】
【００５７】
１  瓦
１１  上重畳部
１１ａ  上端辺
１２  下重畳部
１２ａ  下端辺
１３  単層部
１５  上重畳部と単層部との境界
１８  挿込部
２１  孔部
２１ａ  周縁部
２３  引掛突部
２５  当接部
３０  係止部材
４０  屋根下地
４１  野地板
４２  下葺き材
４６  瓦桟木
【図１】
2008057172.tif 000003
【図２】
2008057172.tif 000004
【図３】
2008057172.tif 000005